(57)【要約】【課題】空気の吹出口に風向きを制御するためのフィンを持たずに、簡単な構造で、多方向に風の向きを制御する。【解決手段】空気を吹き出す吹出部（11）を、各々両端が開放した内筒体（17）及び外筒体（19）からなる二重構造とし、内筒体（17）の周壁部に形成された内部吹出口（21）を通して外筒体（19）の周壁部に形成された外部吹出口（41）から吹き出す風の向きを、外筒体（19）の各開放端から内筒体（17）の内部に導入する２つの気流の強弱と、内筒体（17）の回動動作とで調節するようにした。【選択図】図３
2014234936.tif 000002
【特許請求の範囲】
【請求項１】
両端が開放し両開放端から内部に導入された空気を吹き出す内部吹出口を有する内筒体、及び両端が開放し、前記内筒体を回動可能に収容する収容空間を有する本体部と該本体部から筒長さ方向と直交する方向に突出して互いに対向する一対の対向壁部を有し該一対の対向壁部の突出端の間に前記収容空間に連通する外部吹出口が設けられた吹出壁部とを備え、前記一対の対向壁部の内面同士が前記本体部側から前記外部吹出口に向かって互いに接近するように延び、前記内部吹出口から吹き出された空気を前記外部吹出口から外部に吹き出す外筒体で構成された二重構造の筒状吹出構造体と、
前記外筒体の両開放端に接続されて該各開放端から前記内筒体の内部に空気を導入するダクトと、
前記ダクトに空気を送風する送風源と、
前記送風源により前記ダクトを介して前記内筒体の内部に送風される送風量について、前記外筒体の一方の開放端からの送風量と該外筒体の他方の開放端からの送風量とを個別に制御する風量制御手段と、
前記内筒体の回動動作を操作する回動操作手段と、を備え、
前記内筒体の内部に対する前記外筒体の少なくとも一方の開放端からの送風量を前記風量制御手段で変えることにより、前記内部吹出口を通して前記外部吹出口から吹き出る風の向きを前記外筒体の筒長さ方向で変え、前記回動操作手段で前記内筒体を回動させて前記内部吹出口の向きを変えることにより、該内部吹出口を通して前記外部吹出口から吹き出る風の向きを前記外筒体の筒長さ方向と直交する方向で変える
ことを特徴とする送風装置。
【請求項２】
請求項１に記載された送風装置において、
前記筒状吹出構造体を複数備え、前記筒状吹出構造体毎に前記回動操作手段が設けられ、
前記複数の筒状吹出構造体の外筒体同士は、前記ダクトによって直列又は並列に接続され、
前記各筒状吹出構造体の内筒体は、前記回動操作手段による回動動作により、前記内部吹出口が前記外筒体の本体部における内面で閉塞される閉塞状態に切り換え可能である
ことを特徴とする送風装置。
【請求項３】
請求項１又は２に記載された送風装置において、
前記内部吹出口における前記内筒体の筒長さ方向と直交する方向の一方の端縁が前記外部吹出口の開口中心線上に位置したとき、前記外部吹出口における前記外筒体の筒長さ方向と直交する方向の両端縁同士を結ぶ直線と、該外部吹出口の両端縁と前記内部吹出口における外部吹出口の開口中心線上に位置する端縁とを結ぶ直線とが、前記外筒体の筒長さ方向から見て正三角形を描く
ことを特徴とする送風装置。
【発明の詳細な説明】
【技術分野】
【０００１】
本発明は、風向きを調節可能な送風装置に関する。
【背景技術】
【０００２】
特許文献１には、空気の吹出口に縦フィンを設けることなく左右方向への風向きを調節可能な吹出しグリル装置が開示されている。このグリル装置は、グリル本体に形成された風の主流路の出口に風向きを上下方向に調節するための横フィンを備えると共に、主流路の両側にそれぞれダンパが設けられた副流路を有し、これら副流路のダンパをダイヤル機構によって選択的に開閉することにより、副流路からの風を主流路に供給して主流路の風向きを左右方向に調節するようになっている。
【先行技術文献】
【特許文献】
【０００３】
【特許文献１】実公平４−５２６０７号公報
【発明の概要】
【発明が解決しようとする課題】
【０００４】
しかしながら、特許文献１のグリル装置では、主流路の他に２つの副流路を有することに加え、風量を調節する機構とは別に副流路毎に設けられたダンパと、これらダンパを開閉するダイヤル機構とを必要とするため、部品点数が多く構造が複雑である。また、特許文献１のグリル装置では、依然として横フィンを備えており、風向きを制御するためのフィンを全く持たないシンプルな構造の送風装置の実現には至っていない。
【０００５】
本発明は、斯かる点に鑑みてなされたものであり、その目的とするところは、空気の吹出口に風向きを制御するためのフィンを持たずに、簡単な構造で、多方向に風の向きを制御可能な送風装置を提供することにある。
【課題を解決するための手段】
【０００６】
上記の目的を達成するために、この発明では、空気を吹き出す吹出部を、各々両端が開放した内筒体及び外筒体からなる二重構造とし、内筒体の周壁部に形成された内部吹出口を通して外筒体の周壁部に形成された外部吹出口から吹き出す風の向きを、外筒体の各開放端から内筒体の内部に導入する２つの気流の強弱と、内筒体の回動動作とで調節するようにした。
【０００７】
具体的には、本発明は、上下左右などの多方向に風の向きを調節可能な送風装置を対象とし、以下の解決手段を講じたものである。
【０００８】
すなわち、第１の発明は、各々両端が開放した内筒体及び外筒体で構成された二重構造の筒状吹出構造体を備える。内筒体は、両開放端から内部に導入された空気を吹き出す内部吹出口を有する。外筒体は、内筒体を回動可能に収容する収容空間を有する本体部と、この本体部から筒長さ方向と直交する方向に突出して互いに対向する一対の対向壁部を有する吹出壁部とを備える。吹出壁部のうち一対の対向壁部の突出端の間には、本体部の収容空間に連通する外部吹出口が設けられている。一対の対向壁部の内面同士は、本体部側から外部吹出口に向かって互いに接近するように延びている。また、外筒体は、内筒体の内部吹出口から吹き出された空気を外部吹出口から外部に吹き出す。
【０００９】
さらに、第１の発明は、外筒体の両開放端に接続されてこれら各開放端から内筒体の内部に空気を導入するダクトと、このダクトに空気を送風する送風源と、この送風源によりダクトを介して内筒体の内部に送風される送風量について外筒体の一方の開放端からの送風量と外筒体の他方の開放端からの送風量とを個別に制御する風量制御手段と、内筒体の回動動作を操作する回動操作手段と、を備える。そして、第１の発明は、内筒体の内部に対する外筒体の少なくとも一方の開放端からの送風量を風量制御手段で変えることにより、内部吹出口を通して外部吹出口から吹き出る風の向きを外筒体の筒長さ方向で変え、回動操作手段で内筒体を回動させて内部吹出口の向きを変えることにより、この内部吹出口を通して外部吹出口から吹き出る風の向きを外筒体の筒長さ方向と直交する方向で変えることを特徴とする。
【００１０】
第２の発明は、第１の発明の送風装置において、筒状吹出構造体を複数備え、筒状吹出構造体毎に回動操作手段が設けられた構成を有する。複数の筒状吹出構造体の外筒体同士は、ダクトによって直列又は並列に接続されている。そして、第２の発明は、各筒状吹出構造体の内筒体を、回動操作手段による回動動作により、内部吹出口が外筒体の本体部における内面で閉塞される閉塞状態に切り換え可能であることを特徴とする。
【００１１】
第３の発明は、第１又は第２の発明の送風装置において、内部吹出口における内筒体の筒長さ方向と直交する方向の一方の端縁が外部吹出口の開口中心線上に位置したとき、外部吹出口における外筒体の筒長さ方向と直交する方向の両端縁同士を結ぶ直線と、これら外部吹出口の両端縁と内部吹出口における外部吹出口の開口中心線上に位置する端縁とを結ぶ直線とが、外筒体の筒長さ方向から見て正三角形を描くことを特徴とする。
【発明の効果】
【００１２】
第１の発明によると、筒状吹出構造体において、外筒体の両開放端から内筒体の内部に導入された空気は、内筒体の両開放端側から内部吹出口に向かい、内部吹出口に対応する箇所で衝突しつつ外部吹出口に流れ、外部吹出口から外部に吹き出される。よって、内筒体の内部に対する外筒体の少なくとも一方の開放端からの送風量を風量制御手段で変えることにより、外部吹出口から吹き出る風の向きを外筒体の筒長さ方向で変えることができる。
【００１３】
また、第１の発明によると、内筒体を回動操作手段で回動させることにより、内部吹出口が外部吹出口に真っ直ぐ向いた正面状態と、内部吹出口が正面状態よりも一方の対向壁部側に向いた第１の傾斜状態と、内部吹出口が正面状態よりも他方の対向壁部側に向いた第２の傾斜状態とに切り換え可能である。内筒体が正面状態にあるときには、内部吹出口から吹き出された空気は、外部吹出口を通って外部吹出口の正面方向に真っ直ぐ吹き出される。また、内筒体が第１の傾斜状態にあるときと第２の傾斜状態にあるときとでは、内部吹出口から吹き出された空気は、それぞれ異なる対向壁部の内面に沿って外部吹出口に誘導され、外部吹出口から外部に互いに交差する方向に吹き出される。よって、内筒体の回動動作で内部吹出口の向きを変えることにより、内部吹出口を通して外部吹出口から出る風の向きを外筒体の筒長さ方向と直交する方向で変えることができる。
【００１４】
したがって、第１の発明によれば、空気の吹出口に風向きを制御するためのフィンを持たずに、簡単な構造で、多方向に風の向きを制御することができる。これにより、空気を吹き出す外部吹出口が開口だけの見た目にもシンプルな送風装置を実現でき、送風装置ひいてはこれを組み込んだ構造物の意匠性を向上させることができる。
【００１５】
第２の発明によれば、複数の筒状吹出構造体のうち一部の筒状吹出構造体の内筒体を閉塞状態に切り換えることにより、その他の筒状吹出構造体だけに選択的に空気を吹き出させることができる。特に、複数の筒状吹出構造体がダクトによって並列に接続されている場合には、複数の筒状吹出構造体のうち任意の筒状吹出構造体に選択的に空気を吹き出させながらも、その風の向きを多方向に変えることができる。また、複数の筒状吹出構造体がダクトによって直列に接続されている場合には、複数の筒状吹出構造体のうち任意の１つの筒状吹出構造体だけに選択的に空気を吹き出させることで、送風装置による空気の吹出し位置を変えることができる上に、その風の向きを多方向に変えることができる。
【００１６】
第３の発明によれば、内部吹出口が外部吹出口から離れすぎることに起因して上述した内筒体の回動動作による風向き制御が不安定になることを抑制しながら、内部吹出口の端縁が外部吹出口に最も接近する外部吹出口の開口中心線上の位置にあるとき、その内部吹出口の端縁が外部吹出口に差し掛かり外部吹出口から吹き出す風を阻害して送風量の低下を招くこともない。したがって、内筒体の回動動作による正確な風向き制御の実現と、外部吹出口から吹き出す風の送風量の確保とを両立させることができる。
【図面の簡単な説明】
【００１７】
【図１】図１は、本発明の実施形態に係る送風装置を含む空調ユニットを備えたインストルメントパネルを車室内から見た正面図である。
【図２】図２は、本発明の実施形態に係る送風装置の筒状吹出構造体とエアダクトの一部を示す断面斜視図である。
【図３】図３は、本発明の実施形態に係る送風装置の筒状吹出構造体を示す分解斜視図である。
【図４】図４は、本発明の実施形態に係る送風装置の筒状吹出構造体と回動操作手段とを背面側から示す斜視図である。
【図５】図５（ａ）は、筒状吹出構造体のうち図２のVa−Va線における縦断面図である。図５（ｂ）は、筒状吹出構造体のうち図２のVb−Vb線における縦断面図である。図５（ｃ）は、筒状吹出構造体のうち図２のVc−Vc線における横断面図である。
【図６】図６（ａ）〜（ｃ）は、本発明の実施形態に係る送風装置での上下方向の風向き制御のバリュエーションを示す図５（ａ）対応箇所の縦断面図である。
【図７】図７（ａ），（ｂ）は、本発明の実施形態に係る送風装置での上下方向の風向き制御のバリュエーションを示す図５（ａ）対応箇所の縦断面図である。
【図８】図８（ａ）〜（ｃ）は、本発明の実施形態に係る送風装置での左右方向の風向き制御のバリュエーションを示す図５（ｃ）対応箇所の横断面図である。
【図９】図９（ａ），（ｂ）は、本発明の実施形態に係る送風装置での左右方向の風向き制御のバリュエーションを示す図５（ｃ）対応箇所の横断面図である。
【図１０】図１０は、本発明の実施形態の変形例１に係る送風装置の内筒体を背面側から示す斜視図である。
【図１１】図１１は、本発明の実施形態の変形例１に係る送風装置の筒状吹出構造体を示す図５（ｃ）対応箇所の横断面図である。
【図１２】図１２は、本発明の実施形態の変形例２に係る送風装置の風の吹き出し部分の構成を示す正面図である。
【図１３】図１３は、本発明の実施形態の変形例２に係る送風装置の筒状吹出構造体を示す図５（ａ）対応箇所の縦断面図である。
【図１４】図１４は、本発明の実施形態の変形例３に係る送風装置の風の吹き出し部分の構成を示す正面図である。
【発明を実施するための形態】
【００１８】
以下、本発明に係る実施形態を図面に基づいて詳細に説明する。なお、以下の実施形態は、本質的に好ましい例示であって、本発明、その適用物、或いはその用途の範囲を制限することを意図するものではない。なお、本明細書では、説明の便宜上、車両前後方向における前側を「前」、後側を「後」、車幅方向における左側を「左」、右側を「右」と称する。
【００１９】
この実施形態では、本発明に係る送風装置についてこれを適用した車両用の空調ユニットを例に挙げて説明する。図１は、この車両用の空調ユニット２が組み込まれたインストルメントパネル１（二点鎖線で示す）を車室内から見た正面図である。
【００２０】
インストルメントパネル１は、エンジンルームと車室とを区画するダッシュパネルの車両後方側（車室側）に設けられている。図示の車両は、いわゆる右ハンドル車であり、空調ユニット２は、車幅方向の中央付近から左側寄りの部位、つまり助手席側の部位にかけてインストルメントパネル１の裏側（車両前側）に搭載されている。
【００２１】
空調ユニット２は、図１に示すように、取り込んだ空気の温度を調節する空調装置３と、車室内の空気を取り込んで空調装置３に送り込むと共にこの空調装置３で調節された調和空気を車室内に送風する送風装置５とを備えている。
【００２２】
空調装置３は、図示しないが、例えば、冷却用熱交換器と加熱用熱交換器とを備え、インストルメントパネル１に設けられた乗員操作用のパネルやダイヤルなどの温度入力手段と車室内の温度を検出する温度センサとからの入力信号に基づいて調和空気の目標温度を設定し、両熱交換器を駆動することで目標温度に見合った温度の調和空気を生成するようになっている。
【００２３】
送風装置５は、車室内の空気を空調装置３に送風するブロア７と、空調装置３からの調和空気が流れるエアダクト９と、エアダクト９から導入された調和空気を車室内に向けて吹き出す筒状吹出構造体１１と、空調装置３からエアダクト９を介して筒状吹出構造体１１に送風される送風量を制御する風量制御手段である風量制御部１３とを備えている。
【００２４】
ブロア７は、空調装置３及び風量制御部１３を介してエアダクト９に空気を送風する送風源である。エアダクト９は、筒状吹出構造体１１の両端部にそれぞれ接続された一対のダクト１５Ｌ，１５Ｒからなる。具体的には、エアダクト９は、助手席側から車両前方に見て、筒状吹出構造体１１の左側端部に接続された左側ダクト１５Ｌと、筒状吹出構造体１１の右側端部に接続された右側ダクト１５Ｒとで構成されている。
【００２５】
これら左側及び右側ダクト１５Ｌ，１５Ｒは共に、樹脂成形品であって、ブロー成形や射出成形などにより成形されている。以降では、左側及び右側ダクト１５Ｌ，１５Ｒについて、左右を区別しない場合には、単に「ダクト１５」と称することがある。
【００２６】
筒状吹出構造体１１の断面斜視図をダクト１５の下流側の端部と共に図２に示す。筒状吹出構造体１１の分解斜視図を図３に示す。筒状吹出構造体１１と後述する回動操作手段４９との背面側からの斜視図を図４に示す。また、筒状吹出構造体１１のうち、図２のVa−Va線における縦断面図を図５（ａ）に、図２のVb−Vb線における縦断面図を図５（ｂ）に、図２のVc−Vc線における横断面図を図５（ｃ）にそれぞれ示す。なお、図２において、左右両側の矢印はダクト１５から筒状吹出構造体１１の内部への空気の流れを示し、中央付近の矢印は筒状吹出構造体１１から吹き出させることが可能な風の向きの一例を示す。
【００２７】
筒状吹出構造体１１は、筒長さ方向を車幅方向に平行な姿勢とした状態に、助手席の前側でグローブボックス（不図示）の上方位置に設置される。この筒状吹出構造体１１は、図２及び図３に示すように、各々両端が開放した内筒体１７及び外筒体１９で構成され、外筒体１９の内部に内筒体１７が収容された二重構造を有する。これら内筒体１７及び外筒体１９は共に、樹脂成形品であって、ブロー成形や射出成形により成形される。
【００２８】
内筒体１７は、円筒形に形成されていて、筒長さ方向に細長く延びる内部吹出口２１を周壁部２３に有している。内部吹出口２１は、内筒体１７の筒長さ方向における中央に正面視で長方形状に形成されている。この内部吹出口２１は、内筒体１７の周壁部２３を貫通し、内筒体１７の両開放端から内部に導入された空気を外筒体１９の内部で吹き出す開口である。
【００２９】
外筒体１９は、上下方向に半割状に構成された図３に示す２つの半割部材１９ａ，１９ｂを図２に示すように一体に連結させてなる。この外筒体１９は、内筒体１７を回動可能に収容する収容空間２５ｓを有する本体部２５と、この本体部２５から筒長さ方向と直交する方向、つまり前後方向に突出してその突出端に外部吹出口４１を有する吹出壁部２７とを備えている。
【００３０】
吹出壁部２７は、外筒体１９の本体部２５のうち筒長さ方向、つまり左右方向における両端部を除く部分に設けられている。外筒体１９の本体部２５のうち、吹出壁部２７が設けられた部分は、図５（ａ）に示すように、内筒体１７の外周面の形状に倣って湾曲し吹出壁部２７側に開放した縦断面Ｕ字状に形成され、この吹出壁部２７から左右両側に外れた両端部は、図５（ｂ）に示すように円筒形に形成されている。
【００３１】
この本体部２５の両端部には、図２に示すように、ダクト１５に嵌入する嵌入部３１がそれぞれ突設されている。この嵌入部３１は、本体部２５の内筒体１７を収容する部分に比べて径が小さくなっている。そして、外筒体１９は、これら両方の嵌入部３１がダクト１５の下流側の開放端にそれぞれ外嵌めされることで、左側及び右側ダクト１５Ｌ，１５Ｒに接続されている。
【００３２】
各嵌入部３１の上下両側には、外方に突起した係合凸部３３がそれぞれ設けられている。これら各係合凸部３３は、当該嵌入部３１が嵌入するダクト１５に設けられた係合凹部３５に嵌まって係合し、外筒体１９の嵌入部３１がダクト１５から抜けることを防ぐ抜止めである。
【００３３】
外筒体１９の吹出壁部２７は、上下方向に互いに対向する一対の対向壁部３７，３８と、これら一対の対向壁部３７，３８の左右両側を塞ぐ一対のサイド壁部３９，４０とからなる。これら一対の対向壁部３７，３８及び一対のサイド壁部３９，４０の突出端の間には、外筒体１９の本体部２５における収容空間２５ｓに連通する外部吹出口４１が設けられている。
【００３４】
一対の対向壁部３７，３８は、図５（ａ）に示すように、本体部２５側から外部吹出口４１の外方に向かってこの外部吹出口４１の開口中心線Ｃに対し傾斜して延びている。具体的には、上側に位置する対向壁部（以下、上側対向壁部と称する）３７は、本体部２５側から外部吹出口４１の外方に向かって斜め下方に延びている。他方、下側に位置する対向壁部（以下、下側対向壁部と称する）３８は、本体部２５側から外部吹出口４１の外方に向かって斜め上方に延びている。
【００３５】
そして、これら上側対向壁部３７の内面３７ｓと下側対向壁部３８の内面３８ｓとは、外部吹出口４１を境として外筒体１９の筒長さ方向と直交する方向、つまり上下方向の両側に位置し、それぞれの対向壁部３７，３８と共にこれと同じ方向に延びている。すなわち、これら一対の対向壁部３７，３８の内面３７ｓ，３８ｓ同士は、本体部２５側から外部吹出口４１の外方に向かって互いに接近するように延びている。
【００３６】
他方、一対のサイド壁部３９，４０は、図２及び図３に示すように、外筒体１９の筒長さ方向と直交する方向、つまり前後方向に互いに平行に延びている。これら各サイド壁部３９，４０には、上側の半割部材１９ａと下側の半割部材１９ｂとを連結する連結手段４３が設けられている。
【００３７】
すなわち、上側の半割部材１９ａにおける各サイド壁部３９，４０を構成する部分には、被係合孔４６を有する係合片４５が設けられている。係合片４５は、上側の半割部材１９ａのサイド壁部３９，４０を構成する部分から下方に突出している。被係合孔は４６は、この係合片４５の突出部分に形成されている。他方、下側の半割部材１９ｂの各サイド壁部３９，４０を構成する部分のうち上側の半割部材１９ａに設けられた各係合片４５の突出部分に対応する箇所には、係合凸部４７が設けられている。この係合凸部４７は、被係合孔４６に嵌まって係合する。連結手段４３は、これら係合片４５と係合凸部４７とで構成されている。
【００３８】
また、本体部２５の背面にも、図４に示すように、サイド壁部３９，４０に設けられたものと同様な連結手段４３が設けられている。すなわち、被係合孔４６を有する係合片４５と被係合孔４６に係合する係合凸部４７とが、上側の半割部材１９ａと下側の半割部材１９ｂとに分けて設けられている。そして、上側の半割部材１９ａと下側の半割部材１９ｂとは、これら各サイド壁部３９，４０と本体部２５の背面とに設けられた各係合凸部４７がこれと対をなす係合片４５の被係合孔４６に嵌まって係合することで、一体に連結されている。
【００３９】
風量制御部１３は、図１に示すように、左側及び右側ダクト１５Ｌ，１５Ｒにおける筒状吹出構造体１１（外筒体１９）との接続側とは反対側の各開放端に接続されている。そして、風量制御部１３は、左側及び右側ダクト１５Ｌ，１５Ｒ毎にこれら各ダクト１５への送風量を調節するダンパ（不図示）を備えている。
【００４０】
この風量制御部１３は、インストルメントパネル１に設けられた乗員操作用のパネルやダイヤルなどの風向き入力手段からの風向きを設定する入力信号に基づき、ブロア７により送風される左側及び右側ダクト１５Ｌ，１５Ｒに対する送風量を個別に制御し、ひいてはこれら左側及び右側ダクト１５Ｌ，１５Ｒを介して内筒体１７の内部に送風される送風量について、外筒体１９のうち右側の開放端からの送風量と左側の開放端からの送風量とを個別に制御するようになっている。
【００４１】
さらに、本実施形態の送風装置５は、図４及び図５（ｂ）に示すように、筒状吹出構造体１１における内筒体１７の回動動作を操作する回動操作手段４９をさらに備えている。回動操作手段４９は、内筒体１７の外周面に所定の範囲に亘って形成されたギヤ歯を有するギヤ部５１と、このギヤ部５１と噛み合うアイドルギヤ５３と、このアイドルギヤ５３と噛み合う駆動ギヤ５５が設けられたモータ５７とを有する。
【００４２】
ギヤ部５１は、内筒体１７の一方側（図３に示す例では左側）の端部における外周面に形成されている。外筒体１９のうちこのギヤ部５１が対応する背面部分には、アイドルギヤ５３が挿通した状態で配置される挿通孔５９が形成されている。この挿通孔５９の左右両側には、図４に示すように、互いに対向する小片板状の支持突片６１が一対に設けられている。これら一対の支持突片６１には、互いに対向する箇所に軸受孔６３がそれぞれ形成されている。
【００４３】
アイドルギヤ５３の中心に形成された中心孔には、支持ピン６５が挿通されている。この支持ピン６５は、アイドルギヤ５３の左右両側で支持突片６１の軸受孔６３に挿通されて一対の支持突片６１に支持されている。こうして、アイドルギヤ５３は、支持ピン６５に回転自在に支持されている。支持ピン６５の一端部の外周面にはローレット加工が施されており、この加工部分６５ａが一方の支持突片６１の軸受孔６３に圧入されることで、支持ピン６５を一対の支持突片６１に固定して軸受孔６３から抜けないようにしている。
【００４４】
モータ５７は、正転と逆転とで回転方向を切り換え可能なモータであり、一対の支持突片６１の側方（図４に示す例では左側）に設けられた取付座６７に取り付けられている。このモータ５７の駆動軸５８は、アイドルギヤ５３の背面側にまで延びている。この駆動軸５８の先端部には、駆動ギヤ５５がアイドルギヤ５３と噛み合わせた状態で設けられている。
【００４５】
このような構成の回動操作手段４９では、モータ５７を駆動させることで、駆動ギヤ５５の回転動力がアイドラギヤ５３を介し内筒体１７のギヤ部５１に伝達されて、内筒体１７が回動される。この回動操作手段４９は、風向き入力手段からの風向きを設定する入力信号に基づき、モータ５７の駆動及びその回転方向の切換えを実行し、内筒体１７の回動動作を操作するようになっている。
【００４６】
こうして内筒体１７が回動操作手段４９で回動されることにより、内部吹出口２１の向きが変えられる。これにより、内筒体１７は、内部吹出口２１が外部吹出口４１に真っ直ぐ向いた正面状態と、内部吹出口２１が正面状態よりも上側対向壁部３７側に向いた上向き傾斜状態と、内部吹出口２１が正面状態よりも下側対向壁部３８側に向いた下向き傾斜状態とに切り換えられる。
【００４７】
この内筒体１７においては、図５（ａ）に二点鎖線で示すように、内部吹出口２１の上下方向における一方の端縁（図示する例では上端縁）が外部吹出口４１の開口中心線Ｃ上に位置したとき、外部吹出口４１の上下方向における両端縁間の距離（上下方向の開口幅）ａと、これら外部吹出口４１の両端縁と内部吹出口２１における外部吹出口４１の開口中心線Ｃ上に位置する端縁との間の距離ｂ，ｃとが、等しい距離となる。すなわち、外部吹出口４１の上下方向における両端縁同士を結ぶ直線と、これら外部吹出口４１の両端縁と内部吹出口２１における外部吹出口４１の開口中心線Ｃ上に位置する端縁とを結ぶ直線とは、外筒体１９の筒長さ方向から見て正三角形を描く。
【００４８】
このことで、内部吹出口２１が外部吹出口４１から離れすぎることに起因して上述した内筒体１７の回動動作による風向き制御が不安定になることを抑制できる。その上、内部吹出口２１の端縁が外部吹出口４１に最も接近する外部吹出口４１の開口中心線Ｃ上の位置にあるとき、その内部吹出口２１の端縁が外部吹出口４１に差し掛かり外部吹出口４１から吹き出す風を阻害して送風量の低下を招くこともない。
【００４９】
上記構成の送風装置５では、内筒体１７の内部に対する外筒体１９の少なくとも一方の開放端からの送風量を風量制御部１３で変えることにより、内部吹出口２１を通って外部吹出口４１から吹き出る風の向きが外筒体１９の筒長さ方向である左右方向で変えられ、且つ、回動操作手段４９で内筒体１７を回動させて内部吹出口２１の向きを変えることにより、この内部吹出口２１を通って外部吹出口４１から吹き出る風の向きが外筒体１９の筒長さ方向と直交する方向である上下方向で変えられる。
【００５０】
以下に、送風装置５の風向き制御について、図６〜図９を参照しながら説明する。図６（ａ）〜（ｃ）及び図７（ａ），（ｂ）は、送風装置５での上下方向の風向き制御のバリュエーションを示す筒状吹出構造体１１の縦断面図である。図８（ａ）〜（ｃ）及び図９（ａ），（ｂ）は、送風装置５での左右方向の風向き制御のバリュエーションを示す筒状吹出構造体１１の横断面図である。なお、これら図６〜図９中に実線で示す矢印は、筒状吹出構造体１１の内部での調和空気の流れを示している。また、図８中に一点鎖線で示す矢印は、筒状吹出構造体１１の内部に滞留した圧縮空気を示している。このことは、後に参照する図１１についても同じである。
【００５１】
まず、図６（ａ）〜（ｃ）及び図７（ａ），（ｂ）を参照しながら、送風装置５の外部吹出口４１から吹き出る風の向きを上下方向に制御する動作を説明する。
【００５２】
送風装置５は、風向き入力手段から風向きを最も下向きに設定する入力信号が入力された場合には、回動操作手段４９のモータ５７を駆動させて内筒体１７を回動させることで、図６（ａ）に示すように、内部吹出口２１の全体を上側対向壁部３７に向けた状態（上向き傾斜状態）とする。
【００５３】
この場合、左側及び右側ダクト１５Ｌ，１５Ｒの少なくとも一方のダクトから内筒体１７の内部に導入された調和空気は、内筒体１７の内部と外筒体１９の外部との気圧差によって、内部吹出口２１から上側対向壁部３７に向かって吹き出された後にこの上側対向壁部３７の内面３７ｓに沿って斜め下方に流れて外部吹出口４１に向かい、外部吹出口４１から外部（助手席側）へそのまま斜め下方に吹き出される。こうして、外部吹出口４１から吹き出す風の向きが最も下方に向けられる。
【００５４】
また、送風装置５は、風向き制御手段から風向きを最も上向きに設定する入力信号が入力された場合には、回動操作手段４９のモータ５７を駆動させて内筒体１７を回動させることで、図６（ｂ）に示すように、内部吹出口２１の全体を下側対向壁部３８に向けた状態（下向き傾斜状態）とする。
【００５５】
この場合、左側及び右側ダクト１５Ｌ，１５Ｒの少なくとも一方のダクトから内筒体１７の内部に導入された調和空気は、内筒体１７の内部と外筒体１９の外部との気圧差によって、内部吹出口２１から下側対向壁部３８に向かって吹き出された後にこの下側対向壁部３８の内面３８ｓに沿って斜め上方に流れて外部吹出口４１に向かい、外部吹出口４１から外部へそのまま斜め上方に吹き出される。こうして、外部吹出口４１から吹き出す風の向きが最も上方に向けられる。
【００５６】
また、送風装置５は、風向き制御手段から風向きを上下方向の中央向きに設定する入力信号が入力された場合には、回動操作手段４９のモータ５７を駆動させて内筒体１７を回動させることで、図６（ｃ）に示すように、内部吹出口２１を外部吹出口４１に真っ直ぐ向けた状態（正面状態）とする。
【００５７】
この場合、左側及び右側ダクト１５Ｌ，１５Ｒの少なくとも一方のダクトから内筒体１７の内部に導入された調和空気は、内筒体１７の内部と外筒体１９の外部との気圧差によって、内部吹出口２１から外部吹出口４１に向かって真っ直ぐ吹き出され、外部吹出口４１から外部へ当該外部吹出口４１の正面方向に吹き出される。こうして、外部吹出口４１から吹き出す風の向きが上下方向の中央に向けられる。
【００５８】
また、送風装置５は、風向き入力手段から風向きを若干下向きに設定する入力信号が入力された場合には、回動操作手段４９のモータ５７を駆動させて内筒体１７を回動させることで、図７（ａ）に示すように、内部吹出口２１を上側対向壁部３７と外部吹出口４１との両方に亘って向けた状態、つまり外部吹出口４１の上側に位置する端縁に向けた状態（上向き傾斜状態）とする。
【００５９】
この場合、左側及び右側ダクト１５Ｌ，１５Ｒの少なくとも一方のダクトから内筒体１７の内部に導入された調和空気は、内筒体１７の内部と外筒体１９の外部との気圧差によって、内部吹出口２１から上側対向壁部３７及び外部吹出口４１の双方に向かって吹き出される。上側対向壁部３７に向かって吹き出された調和空気は、この上側対向壁部３７の内面３７ｓに沿って斜め下方に流れて外部吹出口４１に向かい、内部吹出口２１から外部吹出口４１に直接向かう調和空気と衝突しつつ合流して外部吹出口４１から外部に吹き出される。このとき、外部吹出口４１から吹き出される調和空気は、上側対向壁部３７の内面３７ｓに沿って斜め下方に流れる風に押されて、外部吹出口４１から下向き加減で吹き出される。こうして、外部吹出口４１から吹き出す風の向きが若干下方に向けられる。
【００６０】
また、送風装置５は、風向き入力手段から風向きを若干上向きに設定する入力信号が入力された場合には、回動操作手段４９のモータ５７を駆動させて内筒体１７を回動させることで、図７（ｂ）に示すように、内部吹出口２１を下側対向壁部３８と外部吹出口４１との両方に亘って向けた状態、つまり外部吹出口４１の下側に位置する端縁に向けた状態（下向き傾斜状態）とする。
【００６１】
この場合、左側及び右側ダクト１５Ｌ，１５Ｒの少なくとも一方のダクトから内筒体１７の内部に導入された調和空気は、内筒体１７の内部と外筒体１９の外部との気圧差によって、内部吹出口２１から下側対向壁部３８及び外部吹出口４１の双方に向かって吹き出される。下側対向壁部３８に向かって吹き出された調和空気は、この下側対向壁部３８の内面３８ｓに沿って斜め上方に流れて外部吹出口４１に向かい、内部吹出口２１から外部吹出口４１に直接向かう調和空気と衝突しつつ合流して外部吹出口４１から外部に吹き出される。このとき、外部吹出口４１から吹き出される調和空気は、下側対向壁部３８の内面３８ｓに沿って斜め上方に向かって流れる風に押されて、外部吹出口４１から上向き加減で吹き出される。こうして、外部吹出口４１から吹き出す風の向きが若干上方に向けられる。
【００６２】
次いで、図８（ａ）〜（ｃ）及び図９（ａ），（ｂ）を参照しながら、送風装置５の外部吹出口４１から吹き出る風の向きを左右方向に制御する動作を説明する。
【００６３】
送風装置５は、風向き入力手段から風向きを最も左向きに設定する入力信号が入力された場合には、図８（ａ）に示すように、風量制御部１３によって、左側ダクト１５Ｌに対する送風量をなくす、つまり左側ダクト１５Ｌへの送風を止めると共に、右側ダクト１５Ｒに対する送風量を乗員に設定された風の強さレベルに応じた所定の送風量として、右側ダクト１５Ｒだけに空調装置３からの調和空気を送風する。
【００６４】
この場合、右側ダクト１５Ｒから内筒体１７の内部に導入された調和空気は、内筒体１７の内部を右から左に流れ、その流れが内筒体１７の内部と外筒体１９の外部との気圧差により内部吹出口２１側に誘導されて内部吹出口２１に向かう斜め左方の流れに変わり、内部吹出口２１を通って外部吹出口４１からそのまま斜め左方に吹き出される。こうして、外部吹出口４１から吹き出す風の向きが最も左方に向けられる。
【００６５】
また、送風装置５は、風向き入力手段から風向きを最も右向きに設定する入力信号が入力された場合には、図８（ｂ）に示すように、風量制御部１３によって、右側ダクト１５Ｒに対する送風量をなくす、つまり右側ダクト１５Ｒへの送風を止めると共に、左側ダクト１５Ｌに対する送風量を乗員に設定された風の強さレベルに応じた所定の送風量として、左側ダクト１５Ｌだけに空調装置３からの調和空気を送風する。
【００６６】
この場合、左側ダクト１５Ｌから内筒体１７の内部に導入された調和空気は、内筒体１７の内部を左から右に流れ、その流れが内筒体１７の内部と外筒体１９の外部との気圧差により内部吹出口２１側に誘導されて内部吹出口２１に向かう斜め右方の流れに変わり、内部吹出口２１を通って外部吹出口４１からそのまま斜め右方に吹き出される。こうして、外部吹出口４１から吹き出す風の向きが最も右方に向けられる。
【００６７】
また、送風装置５は、風向き入力手段から風向きを左右方向の中央向きに設定する入力信号が入力された場合には、風量制御部１３によって、左側ダクト１５Ｌへの送風強さと右側ダクト１５Ｒへの送風強さとが同じレベルになるようにこれら左側及び右側ダクト１５Ｌ，１５Ｒに対する送風量を設定する。
【００６８】
この場合、左側及び右側ダクト１５Ｌ，１５Ｒから内筒体１７の内部にそれぞれ導入された調和空気は、図８（ｃ）に示すように、内筒体１７の内部と外筒体１９の外部との気圧差によって、内部吹出口２１側に誘導され、内部吹出口２１を通って外部吹出口４１から吹き出される。その過程で、左側ダクト１５Ｌから内筒体１７の内部に導入された調和空気と、右側ダクト１５Ｒから内筒体１７の内部に導入された調和空気とは、衝突しつつ合流する。このとき、これら左側ダクト１６Ｌから導入された調和空気と右側ダクト１５Ｒから導入された調和空気とは、送風強さが同じレベルであるので、これら左側及び右側ダクト１５Ｌ，１５Ｒから内筒体１７の内部に導入された空気は、内部吹出口２１を通って外部吹出口４１から左右方向の中央に向けて吹き出される。こうして、外部吹出口４１から吹き出す風の向きが左右方向の中央に向けられる。
【００６９】
また、送風装置５は、風向き入力手段から風向きを左右方向の若干左向きに設定する入力信号が入力された場合には、風量制御部１３によって、右側ダクト１５Ｒへの送風強さが左側ダクト１５Ｌへの送風強さよりも少し強くなるようにこれら左側及び右側ダクト１５Ｌ，１５Ｒに対する送風量を設定する。
【００７０】
この場合、左側及び右側ダクト１５Ｌ，１５Ｒから内筒体１７の内部に導入された調和空気は、図９（ａ）に示すように、内筒体１７の内部と外筒体１９の外部との気圧差によって、内部吹出口２１側に誘導され、内部吹出口２１を通って外部吹出口４１から吹き出される。このとき、右側ダクト１５Ｒから導入された調和空気の送風強さが左側ダクト１５Ｌから導入された調和空気の送風強さよりも少し強いので、これら左側及び右側ダクト１５Ｌ，１５Ｒから内筒体１７の内部に導入された調和空気は、右側ダクト１５Ｒの接続側から内部吹出口２１を通り外部吹出口４１に向かって斜め左方に流れる風に押されて、外部吹出口４１から外部に左向き加減で吹き出される。こうして、外部吹出口４１から吹き出す風の向きが若干左方に向けられる。
【００７１】
また、送風装置５は、風向き入力手段から風向きを若干右向きに設定する入力信号が入力された場合には、風量制御部１３によって、左側ダクト１５Ｌへの送風強さが右側ダクト１５Ｒへの送風強さよりも少し強くなるようにこれら左側及び右側ダクト１５Ｌ，１５Ｒに対する送風量を設定する。
【００７２】
この場合、左側及び右側ダクト１５Ｌ，１５Ｒから内筒体１７の内部に導入された調和空気は、図９（ｂ）に示すように、内筒体１７の内部と外筒体１９の外部との気圧差によって、内部吹出口２１側に誘導され、内部吹出口２１を通って外部吹出口４１から吹き出される。このとき、左側ダクト１５Ｌから導入された調和空気の送風強さが右側ダクト１５Ｒから導入された調和空気の送風強さよりも少し強いので、これら左側及び右側ダクト１５Ｌ，１５Ｒから内筒体１７の内部に導入された調和空気は、左側ダクト１５Ｌの接続側から内部吹出口２１を通り外部吹出口４１に向かって斜め右方に流れる風に押されて、外部吹出口４１から外部に右向き加減で吹き出される。こうして、外部吹出口４１から吹き出す風の向きが若干右方に向けられる。
【００７３】
以上の如く、送風装置５は、回動操作手段４９で内筒体１７の回動動作を操作することにより、外部吹出口４１から吹き出る風の向きを上下方向に調節し、風量制御部１３で左側及び右側ダクト１５Ｌ，１５Ｒに対する送風量を個別に制御することにより、外部吹出口４１から吹き出る風の向きを左右方向に調節することができる。また、これら上下方向と左右方向の風向き制御の組合せによれば、外部吹出口４１から吹き出る風の向きを上下方向と左右方向との中間方向、つまり左上方向、右上方向、左下方向及び右下方向にも調節することができる。
【００７４】
−実施形態の効果−
この実施形態によると、調和空気を吹き出す外部吹出口４１に風向きを制御するためのフィンを持たずに、簡単な構造で、外部吹出口４１から吹き出る風の向きを上下左右で調節することができる。これにより、外部吹出口４１が開口だけの見た目にもシンプルな送風装置５及びこれを備えた空調ユニット２を実現でき、空調ユニット２を組み込んだインストルメントパネル１の意匠性を向上させることができる。
【００７５】
しかも、この実施形態の送風装置５を構成する筒状吹出構造体１１及びエアダクト９は、車両前後方向に設置スペースを大きく必要としないので、設置箇所の自由度が高くなり、従来は設置の難しかった助手席の正面におけるインストルメントパネル１の裏側にも設置することができる。
【００７６】
−実施形態の変形例１−
この変形例１の送風装置５について、図１０及び図１１を参照しながら説明する。図１０は、本変形例の送風装置５を構成する内筒体１７を背面側から示す斜視図である。図１１は、本変形例の送風装置５を構成する筒状吹出構造体１１を示す図５（ｃ）対応箇所の横断面図である。なお、図１１の矢印は、右側ダクト１５Ｒだけに送風を行い、外部吹出口４１から吹き出る風の向きを最も左向きにしたときの空気の流れを示す。
【００７７】
上記実施形態では、内筒体１７の内部に導入された調和空気を内筒体１７の内部と外筒体１９の外部との気圧差だけで内部吹出口２１側に誘導させるとしたが、本変形例では、図１０及び図１１に示すように、内筒体１７の内部に、調和空気を内部吹出口２１側に誘導しやすくする誘導凸部７１が設けられている。
【００７８】
誘導凸部７１は、内筒体１７の一部を内側に横断面Ｖ字状に凹んだ形状とすることで、内筒体１７の背面側部分において内部吹出口２１の中程に対応する箇所に形成されている。この誘導凸部７１は、内部吹出口２１の左右両端側にそれぞれ臨む一対の誘導壁７３からなる。この誘導凸部７１が設けられた内筒体１７の内部にダクト１５から外筒体１９の開放端を介して導入された調和空気は、図１１に示すように、内筒体１７の内部と外筒体１９の外部との気圧差と誘導凸部７１の誘導壁７３とによって内部吹出口２１に誘導され、この内部吹出口２１を通って外部吹出口４１から外部に吹き出される。
【００７９】
このような構成によれば、外部吹出口４１から外部に吹き出る風の向きを左右方向に制御しやすくすることができる。
【００８０】
−実施形態の変形例２−
この変形例２の送風装置５について、図１２及び図１３を参照しながら説明する。図１２は、本変形例の送風装置５の風の吹き出し部分の構成を示す正面図である。図１３は、本変形例の送風装置５を構成する筒状吹出構造体１１を示す縦断面図である。
【００８１】
上記実施形態では、筒状吹出構造体１１を１つだけ備えた構成の送風装置５について説明したが、本変形例では、送風装置５は、図１２に示すように筒状吹出構造体１１を２つ備えている。これら２つの筒状吹出構造体１１の外筒体１９同士は、ダクト１５によって直列に接続されている。さらに、本変形例では、図示しないが、筒状吹出構造体１１毎に回動操作手段４９（ギヤ部５１、アイドルギヤ５３及びモータ５７）が設けられている。
【００８２】
また、各筒状吹出構造体１１を構成する内筒体１７の外周面には、図１３に示すように、ギヤ部５１が半周以上の広範囲に亘って形成されている。そして、これら各筒状吹出構造体１１は、回動操作手段４９による回動動作により、内筒体１７を、内部吹出口２１が対向壁部３７，３８及び外部吹出口４１の少なくとも一方に向いた開放状態と、内部吹出口２１が外筒体１９の本体部２５における内面で閉塞される閉塞状態（図１３に示す状態）とで切換え可能な構成となっている。
【００８３】
このような構成によれば、一方の筒状吹出構造体１１の内筒体１７を開放状態とし、他方の筒状吹出構造体１１の内筒体１７を閉塞状態とすることにより、２つある筒状吹出構造体１１のうち任意の１つの筒状吹出構造体１１だけに選択的に調和空気を吹き出す送風動作を行わせることができる。これにより、空調ユニット２での調和空気の吹出し位置を変えることができる上に、送風動作を行わせた筒状吹出構造体１１の外部吹出口４１から吹き出る風の向きを上記実施形態と同様に多方向に変えることができる。
【００８４】
−実施形態の変形例３−
この変形例３の送風装置５について、図１４を参照しながら説明する。図１４は、本変形例に係る送風装置５の風の吹き出し部分の構成を示す正面図である。
【００８５】
本変形例の送風装置５も、上記変形例２と同様に、図１４に示すように筒状吹出構造体１１を２つ備え、筒状吹出構造体１１毎に回動操作手段４９（ギヤ部５１、アイドルギヤ５３及びモータ５７）が設けられている。そして、２つの筒状吹出構造体１１の外筒体１９同士は、ダクト１５によって並列に接続されている。これら各筒状吹出構造体１１は、上記変形例２と同様に、内筒体１７を開放状態と閉塞状態とで切り換え可能な構成となっている。
【００８６】
このような構成によれば、２つある筒状吹出構造体１１のうち任意の１つの筒状吹出構造体１１だけに選択的に送風動作を行わせることができる。また、両方の筒状吹出構造体１１に送風動作を行わせることもできる。そして、これら２つの筒状吹出構造体１１のうち任意の筒状吹出構造体１１に送風動作を行わせながら、送風動作を行わせた筒状吹出構造体１１の外部吹出口４１から吹き出る風の向きを上記実施形態と同様に多方向に変えることができる。
【００８７】
なお、上記実施形態では、風量制御部１１が左側及び右側ダクト１５Ｌ，１５Ｒに対する送風量を調節するダンパを備えているとしたが、左側及び右側ダクト１５Ｌ，１５Ｒに対する送風量を個別に制御できるものであれば、ダンパ以外のもので左側及び右側ダクト１５Ｌ，１５Ｒに対する送風量を調節してもよい。
【００８８】
また、上記変形例２及び３では、２つの筒状吹出構造体１１を備える送風装置５について説明したが、送風装置は、３つ以上の筒状吹出構造体１１を備え、これら複数の筒状吹出構造体１１がダクト１５によって直列又は並列に接続された構成を有していてもよい。
【産業上の利用可能性】
【００８９】
以上説明したように、本発明は、風向きを調節可能な送風装置について有用であり、特に、空気を吹き出す吹出口に風向きを制御するためのフィンを持たずに、簡単な構造で、多方向に風の向きを制御できることが要望される送風装置に適している。
【符号の説明】
【００９０】
Ｃ        外部吹出口の開口中心線
５        送風装置
７        ブロア（送風源）
９        エアダクト
１１      筒状吹出構造体
１３      風量制御部（風量制御手段）
１５      ダクト
１５Ｌ    左側ダクト
１５Ｒ    右側ダクト
１７      内筒体
１９      外筒体
２１      内部吹出口
２５      外筒体の本体部
２７      外筒体の吹出壁部
２５ｓ    収容空間
３７      上側の対向壁部
３７ｓ    上側の対向壁部の内面
３８      下側の対向壁部
３８ｓ    下側の対向壁部の内面
４１      外部吹出口
４９      回動操作手段
５１      ギヤ部
５３      アイドルギヤ
５７      モータ
【図１】
2014234936.tif 000003
【図２】
2014234936.tif 000004
【図３】
2014234936.tif 000005
【図４】
2014234936.tif 000006
【図５】
2014234936.tif 000007
【図６】
2014234936.tif 000008
【図７】
2014234936.tif 000009
【図８】
2014234936.tif 000010
【図９】
2014234936.tif 000011
【図１０】
2014234936.tif 000012
【図１１】
2014234936.tif 000013
【図１２】
2014234936.tif 000014
【図１３】
2014234936.tif 000015
【図１４】
2014234936.tif 000016